(57)【要約】【課題】弾性接触片に対する異物の干渉を防止する。【解決手段】端子金具２０は、底壁２４から端子間スペース１２側へ立ち上がる左右一対の側壁２５を有し、側壁２５の一部を内側へ切り起こすことによって一対の弾性接触片３０を形成し、側壁２５には、弾性接触片３０の切り起こしによって形成された開口部３１の開口縁に沿った枠状部３２を形成した。弾性接触片３０に対して異物が接近しても、その異物は、枠状部３２に当接するだけであって、弾性接触片３０に当接することはない。【選択図】  図６
2004206911.tif 000002
【特許請求の範囲】
【請求項１】
左右一対の弾性接触片を備えた端子金具と、
２つの前記端子金具を端子間スペースを空けて上下対称に並べて収容するハウジングと、
前記ハウジングに対して前方から組み付けられるヒューズとを備えてなり、
前記ヒューズを前記ハウジングに組み付けた状態では、前記ヒューズに設けた上下一対のタブ端子が、夫々、前記一対の弾性接触片の間に嵌入されることで、上下両端子金具間が前記ヒューズを介して導通可能となるヒューズコネクタであって、
前記端子金具には、底壁と、この底壁から前記端子間スペース側へ立ち上がる左右一対の側壁とが設けられ、
前記一対の側壁の一部を内側へ切り起こすことによって前記一対の弾性接触片が形成され、
前記側壁には、前記弾性接触片の切り起こしによって形成された開口部の開口縁に沿った枠状部が形成されていることを特徴とするヒューズコネクタ。
【請求項２】
前記枠状部の少なくとも一部が折り返し状に重ね合わされた形態とされていることを特徴とする請求項１記載のヒューズコネクタ。
【請求項３】
前記側壁における前記弾性接触片より後方の領域では、その側壁の立ち上がり端縁同士が天井壁によって連結されることで、前記底壁、前記両側壁及び前記天井壁からなる角筒部が形成されていることを特徴とする請求項１又は請求項２記載のヒューズコネクタ。
【請求項４】
前記底壁の前端縁からは下部保護壁が立ち上がり、前記左右両側壁の前端縁からは内側へ側部保護壁が延出し、前記下部保護壁の上縁と前記側部保護壁の下縁とが接近又は当接していることを特徴とする請求項１乃至請求項３のいずれかに記載のヒューズコネクタ。
【請求項５】
前記底壁における前記弾性接触片よりも外側の位置には、突起が立ち上げられていることを特徴とする請求項１乃至請求項４のいずれかに記載のヒューズコネクタ。
【請求項６】
前記突起は、前記弾性接触片を当接させることでその弾性接触片が弾性限度を越えて過度に撓むことを規制可能とされていることを特徴とする請求項５記載のヒューズコネクタ。
【請求項７】
左右一対の弾性接触片を備え、ハウジング内に端子間スペースを空けて上下対称に対をなして並べて収容された状態では、前記ハウジングに対して前方から組み付けられたヒューズの上下一対のタブ端子が、夫々、前記一対の弾性接触片の間に嵌入されることで、前記ヒューズを介して互いに導通可能になるヒューズコネクタ用の端子金具であって、
底壁と、この底壁から前記端子間スペース側へ立ち上がる左右一対の側壁とを有しており、
前記一対の側壁の一部を内側へ切り起こすことによって前記一対の弾性接触片が形成され、
前記側壁には、前記弾性接触片の切り起こしによって形成された開口部の開口縁に沿った枠状部が形成されていることを特徴とするヒューズコネクタ用の端子金具。
【請求項８】
前記枠状部の少なくとも一部が折り返し状に重ね合わされた形態とされていることを特徴とする請求項７記載のヒューズコネクタ用の端子金具。
【請求項９】
前記側壁における前記弾性接触片より後方の領域では、その側壁の立ち上がり端縁同士が天井壁によって連結されることで、前記底壁、前記両側壁及び前記天井壁からなる角筒部が形成されていることを特徴とする請求項７又は請求項８記載のヒューズコネクタ用の端子金具。
【請求項１０】
前記底壁の前端縁からは下部保護壁が立ち上がり、前記左右両側壁の前端縁からは内側へ側部保護壁が延出し、前記下部保護壁の上縁と前記側部保護壁の下縁とが接近又は当接していることを特徴とする請求項７乃至請求項９のいずれかに記載のヒューズコネクタ用の端子金具。
【請求項１１】
前記底壁における前記弾性接触片よりも外側の位置には、突起が立ち上げられていることを特徴とする請求項７乃至請求項１０のいずれかに記載のヒューズコネクタ用の端子金具。
【請求項１２】
前記突起は、前記弾性接触片を当接させることでその弾性接触片が弾性限度を越えて過度に撓むことを規制可能とされていることを特徴とする請求項１１記載のヒューズコネクタ用の端子金具。
【発明の詳細な説明】
【０００１】
【発明の属する技術分野】
本発明は、ヒューズコネクタ及びヒューズコネクタ用の端子金具に関するものである。
【０００２】
【従来の技術】
ヒューズコネクタとしては、ハウジング内に端子間スペースを空けて上下一対の端子金具を収容し、ハウジングに対してヒューズを前方から組み付け、そのヒューズに設けた上下一対のタブ端子を端子金具に設けた弾性接触片の間に嵌入させるものがあるが、端子金具に比べてタブ端子が上下に大きい場合は、弾性接触片に嵌入したタブ端子の一部が端子間スペース側へはみ出すことになる。そのため、端子金具には、弾性接触片に対して前方からだけでなく端子間スペース側からもタブ端子が進入できるようにすための構造が必要となる。
【０００３】
かかる構造として、端子金具の底壁から左右一対の側壁を立ち上げ、その側壁から一対のチューリップ形をなす弾性接触片を前方へ延出させた形態で剥き出し状態で支持する手段が考えられる。このように弾性接触片を剥き出しにする構造にすれば、前方からだけでなく、底壁とは反対側の上方からもタブ端子を弾性接触片の間に嵌入させることが可能となる。尚、側壁によって弾性接触片を支持する端子金具の例としては、特許文献１等に開示されているものがある。
【０００４】
【特許文献１】
特開平８−２７３７１０号公報
【０００５】
【発明が解決しようとする課題】
上記のように弾性接触片を剥き出しにした形態の端子金具の場合、端子金具をハウジングに収容する前の状態で弾性接触片が異物の干渉により変形や破損などを来し、その結果、所定の接触圧が確保されなくなって、端子金具とヒューズとの間で接触不良を来すことが懸念される。
本願発明は上記事情に鑑みて創案され、弾性接触片に対する異物の干渉を防止することを目的としている。
【０００６】
【課題を解決するための手段】
請求項１の発明は、左右一対の弾性接触片を備えた端子金具と、２つの前記端子金具を端子間スペースを空けて上下対称に並べて収容するハウジングと、前記ハウジングに対して前方から組み付けられるヒューズとを備えてなり、前記ヒューズを前記ハウジングに組み付けた状態では、前記ヒューズに設けた上下一対のタブ端子が、夫々、前記一対の弾性接触片の間に嵌入されることで、上下両端子金具間が前記ヒューズを介して導通可能となるヒューズコネクタであって、前記端子金具には、底壁と、この底壁から前記端子間スペース側へ立ち上がる左右一対の側壁とが設けられ、前記一対の側壁の一部を内側へ切り起こすことによって前記一対の弾性接触片が形成され、前記側壁には、前記弾性接触片の切り起こしによって形成された開口部の開口縁に沿った枠状部が形成されている構成とした。
【０００７】
請求項２の発明は、請求項１の発明において、前記枠状部の少なくとも一部が折り返し状に重ね合わされた形態とされている構成とした。
請求項３の発明は、請求項１又は請求項２の発明において、前記側壁における前記弾性接触片より後方の領域では、その側壁の立ち上がり端縁同士が天井壁によって連結されることで、前記底壁、前記両側壁及び前記天井壁からなる角筒部が形成されている構成とした。
【０００８】
請求項４の発明は、請求項１乃至請求項３のいずれかの発明において、前記底壁の前端縁からは下部保護壁が立ち上がり、前記左右両側壁の前端縁からは内側へ側部保護壁が延出し、前記下部保護壁の上縁と前記側部保護壁の下縁とが接近又は当接している構成とした。
請求項５の発明は、請求項１乃至請求項４のいずれかの発明において、前記底壁における前記弾性接触片よりも外側の位置には、突起が立ち上げられている構成とした。
【０００９】
請求項６の発明は、請求項５の発明において、前記突起は、前記弾性接触片を当接させることでその弾性接触片が弾性限度を越えて過度に撓むことを規制可能とされている構成とした。
請求項７の発明は、左右一対の弾性接触片を備え、ハウジング内に端子間スペースを空けて上下対称に対をなして並べて収容された状態では、前記ハウジングに対して前方から組み付けられたヒューズの上下一対のタブ端子が、夫々、前記一対の弾性接触片の間に嵌入されることで、前記ヒューズを介して互いに導通可能になるヒューズコネクタ用の端子金具であって、底壁と、この底壁から前記端子間スペース側へ立ち上がる左右一対の側壁とを有しており、前記一対の側壁の一部を内側へ切り起こすことによって前記一対の弾性接触片が形成され、前記側壁には、前記弾性接触片の切り起こしによって形成された開口部の開口縁に沿った枠状部が形成されている構成とした。
【００１０】
請求項８の発明は、請求項７の発明において、前記枠状部の少なくとも一部が折り返し状に重ね合わされた形態とされている構成とした。
請求項９の発明は、請求項７又は請求項８の発明において、前記側壁における前記弾性接触片より後方の領域では、その側壁の立ち上がり端縁同士が天井壁によって連結されることで、前記底壁、前記両側壁及び前記天井壁からなる角筒部が形成されている構成とした。
【００１１】
請求項１０の発明は、請求項７乃至請求項９のいずれかの発明において、前記底壁の前端縁からは下部保護壁が立ち上がり、前記左右両側壁の前端縁からは内側へ側部保護壁が延出し、前記下部保護壁の上縁と前記側部保護壁の下縁とが接近又は当接している構成とした。
請求項１１の発明は、請求項７乃至請求項１０のいずれかの発明において、前記底壁における前記弾性接触片よりも外側の位置には、突起が立ち上げられている構成とした。
【００１２】
請求項１２の発明は、請求項１１の発明において、前記突起は、前記弾性接触片を当接させることでその弾性接触片が弾性限度を越えて過度に撓むことを規制可能とされている構成とした。
【００１３】
【発明の作用及び効果】
［請求項１及び請求項７の発明］
弾性接触片に対して異物が接近しても、その異物は、枠状部に当接するだけであって、弾性接触片に当接することはない。
［請求項２及び請求項８の発明］
枠状部の少なくとも一部が折り返し状に重ね合わされた形態とされていることにより、枠状部自体の剛性が向上する。これにより、枠状部が変形することに起因して異物が弾性接触片に干渉してしまうことが防止される。
【００１４】
［請求項３及び請求項９の発明］
角筒部は変形し難いので、それに連なる側壁及び枠状部も内外方向へ倒れるような変形を生じ難い。これにより、枠状部の変形に起因して異物が弾性接触片に干渉することが確実に防止される。また、角筒部は、弾性接触片よりも後方に位置するので、前方から組み付けられたヒューズのタブ端子が弾性接触片と接触する際に、角筒部が邪魔になることはない。
［請求項４及び請求項１０の発明］
側部保護壁と下部保護壁とにより、弾性接触片に対する前方からの異物の干渉を防止することができる。また、下部保護壁の上縁と前記側部保護壁の下縁とが接近又は当接することにより、側部保護壁及び枠状部が内側へ倒れることが防止され、枠状部の変形に起因して異物が弾性接触片に干渉することが、より確実に防止される。
【００１５】
［請求項５及び請求項１１の発明］
弾性接触片の外面側は、その弾性接触片の切り起しによって形成された側壁の開口部を通して外部に露出しているため、弾性接触片に対する外側方からの異物の干渉が懸念される。しかし、弾性接触片の外側には突起が位置するので、この突起により異物の干渉から弾性接触片を保護することが可能である。
［請求項６及び請求項１２の発明］
突起は、弾性接触片の過度撓み規制を兼ねているので、突起とは別に過度撓み規制部を形成する場合に比べて、端子金具の形状が簡素化される。
【００１６】
【発明の実施の形態】
［実施形態１］
以下、本発明を具体化した実施形態１を図１乃至図１１を参照して説明する。本実施形態のヒューズコネクタは、ハウジング１０と、このハウジング１０内に収容される一対の端子金具２０と、ハウジング１０に対して組み付け可能なヒューズ５０とを備えて構成される。
ハウジング１０は、全体として箱形をなし、その内部には上下対称であって略方形断面のキャビティ１１が一対形成されているとともに、両キャビティ１１の間には端子間スペース１２が形成され、このキャビティ１１と端子間スペース１２は、いずれもハウジング１０の前後両端面に開放されている。キャビティ１１と端子間スペース１２を区画する隔壁には、その前後方向におけるほぼ中央に位置するとともに前方（図１における左方）へ片持ち状に延出した形態のランス１３が形成されている。ハウジング１０内におけるランス１３よりも前方の領域では、隔壁の幅方向中央部分を切欠することで、上側のキャビティ１１と端子間スペース１２と下側のキャビティ１１とが互いに連通している。
【００１７】
ハウジング１０には、その前端面から前方へ突出する上下一対のガイド部１４が形成されている。ガイド部１４は、ハウジング１０に対して前方から組み付けられるヒューズ５０を案内するためのものであり、各ガイド部１４には、夫々、もう一方のガイド部１４との対向面（上側のガイド部１４の場合は下面）を凹ませるとともに前後方向に延びた形態の凹部１５が形成されている。
また、ガイド部１４には、凹部１５の幅方向中央部を上下方向に角形に切欠した形態の検査用空間１６が形成されている。上側の検査用空間１６は、上側のキャビティ１１の略上半分領域、及びそれよりも更に上方の領域と対応し、ガイド部１４の前端面に開放されている。一方、下側の検査用空間１６は、下側のキャビティ１１の略下半分領域、及びそれよりも更に下方の領域と対応し、ガイド部１４の前端面に開放されている。上側のキャビティ１１に挿入された端子金具２０と下側のキャビティ１１に挿入された端子金具２０は、夫々、前面の上端部と前面の下端部を検査用空間１６内に臨ませていて、この検査用空間１６に臨む部分が前方から見通せるようになっている。
【００１８】
端子金具２０は、図１１に示す所定形状に打ち抜かれた金属板材に曲げ加工などを施して形成されたしたものであり、全体として前後方向に細長い。略前半部分はヒューズ５０のタブ端子５２に接続される接続部２１とされ、略後半部分は電線２３に圧着するためのオープンバレル状の電線圧着部２２となっている。
接続部２１は、前後方向に細長い平板状をなす底壁２４と、この底壁２４の左右両側縁から上方（ハウジング１０に収容された状態では端子間スペース１２側）へほぼ直角に立ち上がる平板状の一対の側壁２５と、この両側壁２５の立ち上がり端から内側へほぼ直角に延出した平板状の一対の天井壁２６とからなる。
【００１９】
底壁２４の前端縁からは、正面から見て概ね等脚台形状をなす略平板状の下部保護壁２７がほぼ直角に立ち上げられている。また、左右両側壁２５の前端縁からは、夫々、略平板状をなす側部保護壁２８がほぼ直角に且つ左右対称に内側へ延出されている。この側部保護壁２８の下縁は、幅方向中央に向かって上り勾配となるように傾斜しており、その側部保護壁２８の下縁は下部保護壁２７の上縁のうち左右両端側の傾斜した縁部に対して当接または近接して対向している。また、下部保護壁２７の前面と側部保護壁２８の前面とは、端子金具２０の長さ方向と直角であって互いに面一状にほぼ連続している。また、接続部２１の前面においては、両側部保護壁２８同士の間にヒューズ５０のタブ端子５２を進入させるための縦長の進入口２９が開口されている。この開口の幅はタブ端子５２の厚さよりも僅かに大きい寸法（両側部保護壁２８とタブ端子５２との間に寸法公差を考慮したクリアランスが空くような寸法）とされている。
【００２０】
両側壁２５には、夫々、その一部を内側へ切り起すことによって弾性接触片３０が形成されているとともに、この弾性接触片３０の切り起しによる開口部３１が形成されている。開口部３１は、全体として横長であって、その開口縁のうち下縁は底壁２４に沿っており、上縁は側壁２５の上縁よりも低い高さであり、前縁は側壁２５の前端縁よりも後方に位置し、後縁は側壁２５の後端縁よりも前方に位置する。側壁２５のうち開口部３１の前縁及び上縁に沿った略Ｌ字形の部分は、枠状部３２とされている。上記した側部保護壁２８はこの枠状部３２の前端縁から延出している。
【００２１】
弾性接触片３０は、開口部３１の後端縁において側壁２５に支持され、前方へ片持ち状に延出している。弾性接触片３０を上から見ると、開口部３１の後端から前方に向かって斜め内側へ延出し、前端近くで外向きに屈曲されていて、前端部が斜め外向きとなっている。この屈曲部分は、タブ端子５２に対して縦長方向の線接触状態で接触する接触部３３となっている。かかる両弾性接触片３０の間にはタブ端子５２が割り込むように進入し、進入した状態では、弾性接触片３０が外側へ弾性撓みさせられるとともに、この弾性撓みに伴なって接触部３３の屈曲角度が増大しつつ弾性接触片３０の前端が前方（下部保護壁２７及び側部保護壁２８に接近する方向）へ変位するようになっている。
【００２２】
弾性接触片３０のうち略上半分領域（端子間スペース１２側の領域）は、タブ端子５２に対して接触又は対応する対応部３０Ａとなっており、略下半分領域（底壁２４側の領域）は、タブ端子５２とは非接触且つ非対応の非対応部３０Ｂとなっている。そして、この非対応部３０Ｂの前端部には、対応部３０Ａの前端よりも後方へ後退するように切欠した形態の切欠部３４が形成されている。この切欠部３４においては非対応部３０Ｂの前端縁が、底壁２４側に向かって下り勾配となるような斜めの縁部となっている。この切欠部３４の形成領域は、接触部３３よりも前方の領域の範囲内で形成されている。また、切欠部３４は、上下方向において下部保護壁２７と概ね対応している。また、下部保護壁２７の高さ、前後方向における対応部３０Ａの前端の位置、対応部３０Ａの底壁２４からの高さ、前後方向における非対応部３０Ｂの前端の位置に関しては、弾性接触片３０がタブ端子５２との接触により前方へ伸張変位した状態で下部保護壁２７が後方へ倒れても、下部保護壁２７が弾性接触片３０（対応部３０Ａと非対応部３０Ｂのいずれにも）には干渉しないように寸法設定されている。
【００２３】
さらに、底壁２４からは、左右一対の突起３５が立ち上げられた形態で形成されている。図１１に示す展開状態において弾性接触片３０の下縁と開口部３１の下縁との間に空けた隙間３６と、底壁２４の側縁から内側へ延ばした切り込み３７とによって、突起３５の必要高さが確保されている。この突起３５は、弾性接触片３０における接触部３３の外側に位置しており、弾性接触片３０が外側へ弾性撓みしたときには、その弾性撓み量が弾性限度の範囲内であるうちに、弾性接触片３０が突起３５に当接し、もって、弾性接触片３０の過度の撓みが規制されるようになっている。
【００２４】
左右の天井壁２６のうち、一方の天井壁２６における後端部には略方形の係止孔３８が形成されているとともに、他方の天井壁２６における後端部内側縁には略方形の係止片３９が突出されていて、係止片３９が下方（底壁２４側）へ屈曲された状態で係止孔３８に係止されている。この係止により、接続部２１の後端部には、底壁２４と左右両側壁２５と左右両天井壁２６とにより全周に亘って閉じた（連続した）形態とされた角筒部４０が形成されている。尚、係止孔３８の形成されている側の天井壁２６の内側縁部は下方（底壁２４側）へ壁厚分だけ段差状に低くなっており、この段差形状によって双方の天井壁２６の上面が面一状に連続するようになっている。
【００２５】
また、２つの天井壁２６のうち角筒部４０よりも前方の領域においては、内側縁部が切欠されていて、これにより、この上から視たときに前後方向に長く、且つ弾性接触部３３の前端部（接触部３３を含む）を接触部３３の外部へ露出させる進入用開口４１が形成されている。進入用開口４１は、天井壁２６の前端に開放されているとともに進入口２９に連通されていて、この進入用開口４１及び進入口２９には前方からタブ端子５２が進入できるようになっている。
【００２６】
さらに、この天井壁２６の前端部においては、進入用開口４１の左右両側縁部を下方（底壁２４側）へほぼ直角に折り曲げられて側壁２５の枠状部３２の内側面にほぼ密着する形態とされている。換言すると、枠状部３２における上縁部は、その上縁から下方（底壁２４側）内側へ折り返し状に重ね合わされた形態の重ね合わせ部４２となっている。この重ね合わせ部４２は、枠状部３２の前端縁から後方へ細長く延びている。尚、重ね合わせ部４２の下端縁の高さは、上記側部保護壁２８の上端縁とほぼ同じ高さとなっており、前方から見ると、重ね合わせ部４２が側部保護壁２８の上方に位置する。また、上から視たときには、上記突起３５は重ね合わせ部４２の陰に隠れるように位置している。さらに、重ね合わせ部４２の後端から進入用開口４１の後端に至る領域では、天井壁２６の内縁部が前方に向かって徐々に曲げを深くして重ね合わせ部４２に連なる形態となっている。
【００２７】
ヒューズ５０は、溶断部（図示せず）を収容した略方形のケース５１と、このケース５１から後方へ突出する上下一対のタブ端子５２とを備えて構成され、ハウジング１０に対して前方から組み付けられるようになっている。
次に、本実施形態の作用について説明する。
ハウジング１０の下側のキャビティ１１には、底壁２４を下に向けた端子金具２０が後方から挿入され、角筒部４０の後端縁にランス１３を係止させることにより、抜止め状態に保持される。一方、上側のキャビティ１１に対しては、底壁２４を上に向けた姿勢（下側のキャビティ１１に挿入される端子金具２０とは上下反転した姿勢）で後方から挿入され、ランス１３により抜止め状態に保持されている。ハウジング１０内に収容された２つの端子金具２０は、端子間スペース１２を空けて上下対称に配置され、双方の進入用開口４１を互いに対向されている。また、各端子金具２０の前端の下部保護壁２７は、ハウジング１０の検査用空間１６内に臨んでいる。
【００２８】
この状態で、ハウジング１０に対して前方からヒューズ５０が組み付けられる。組付に際しては、ケース５１が凹部１５に案内されつ、上下両タブ端子５２が上下両キャビティ１１内に進入する。タブ端子５２は、各端子金具２０の前端の進入口２９から接続部２１内に差し込まれて左右両弾性接触片３０の間に割り込むように進入する。これにより、弾性接触片３０が外側へ弾性撓みさせられてその弾性復元力によりタブ端子５２を左右に挟み付け、もって、タブ端子５２と弾性接触片３０とが所定の接触圧で接続された状態となり、上下両端子金具２０がヒューズ５０を介して導通可能となる。
【００２９】
また、ヒューズ５０を組み付けた状態では、弾性接触片３０とタブ端子５２とが上下に位置ずれしており、弾性接触片３０のうち端子間スペース１２側の対応部３０Ａがタブ端子５２における底壁２４側の領域と接触し、タブ端子５２における端子間スペース１２側の領域は、弾性接触片３０から端子間スペース１２側へ外れている。ここで、端子金具２０の天井壁２６には進入用開口４１が形成されているので、タブ端子５２と接続部２１とが干渉することはない。
【００３０】
さて、ハウジング１０に収容された端子金具２０に対してはプローブ５５によって導通検査が行われる。プローブ５５は、ハウジング１０の前方から検査用空間１６内に差し込まれ、その先端を端子金具２０に当接させる。このとき、検査用空間１６には下部保護壁２７が臨んでいるため、プローブ５５はこの下部保護壁２７の前面に当接する。この下部保護壁２７は弾性接触片３０よりも前方に位置するので、プローブ５５が弾性接触片３０と干渉することことはない。また、プローブ５５の差込み位置が端子間スペース１２側へずれたとしても、プローブ５５は側部保護壁２８に当接するため、やはり弾性接触片３０に接触することはない。
【００３１】
上述のように本実施形態においては、端子金具２０をハウジング１０から外した状態において、弾性接触片３０に対して異物（図示せず）が前方、側方、上方のいずれから接近しても、異物が弾性接触片３０に当接することは枠状部３２によって防止される。また、異物が下方から接近した場合には底壁２４によって干渉が防止される。
また、枠状部３２の上縁部（少なくとも一部）が折り返し状に重ね合わされた形態（重ね合わせ部４２）とされているので、枠状部３２自体の剛性が向上している。これにより、枠状部３２が変形することに起因して異物が弾性接触片３０に干渉してしまうことが防止されている。
【００３２】
また、側壁２５における弾性接触片３０より後方の領域では、その側壁２５の立ち上がり端縁同士が天井壁２６によって連結されることで、底壁２４、両側壁２５及び天井壁２６からなる角筒部４０が形成されているが、かかる角筒部４０は変形し難いので、それに連なる側壁２５及び枠状部３２も内外方向へ倒れるような変形を生じ難い。これにより、枠状部３２の変形に起因して異物が弾性接触片３０に干渉することが確実に防止される。
【００３３】
また、角筒部４０は、弾性接触片３０よりも後方に位置するので、前方から組み付けられたヒューズ５０のタブ端子５２が弾性接触片３０と接触する際に、角筒部４０が邪魔になることはない。
また、底壁２４の前端縁からは下部保護壁２７が立ち上がり、左右両側壁２５の前端縁からは内側へ側部保護壁２８が延出しているので、側壁２５間の間隔よりも小さい異物が前方から接近しても、側部保護壁２８と下部保護壁２７とにより、弾性接触片３０に対する異物の干渉を防止することができる。しかも、下部保護壁２７の上縁と前記側部保護壁２８の下縁とが接近又は当接しているので、側部保護壁２８及び枠状部３２が内側へ倒れることが防止される。これより、枠状部３２の変形に起因して異物が弾性接触片３０に干渉することが、より確実に防止されている。
【００３４】
また、弾性接触片３０の外面側は、その弾性接触片３０の切り起しによって形成された側壁２５の開口部３１を通して外部に露出しているため、弾性接触片３０に対する外側方からの異物の干渉が懸念される。しかし、弾性接触片３０の外側には突起３５が位置するので、開口部３１よりも小さい異物が側方から接近しても、この突起３５により異物の干渉から弾性接触片３０を保護することが可能である。
【００３５】
しかも、この突起３５は、弾性接触片３０を当接させることでその弾性接触片３０が弾性限度を越えて過度に撓むことを規制する手段を兼ねているので、突起３５とは別に過度撓み規制部を形成する場合に比べて、端子金具２０の形状が簡素化されている。
上述のように本実施形態においては、万一、下部保護壁２７がプローブ５５に押されて後方（弾性接触片３０側）へ倒れても、弾性接触片３０の前端部には切欠部３４が形成されているので、下部保護壁２７が弾性接触片３０と干渉することがなく、弾性接触片３０が損傷する虞はない。
【００３６】
また、弾性接触片３０は、ヒューズ５０のタブ端子５２と対応する対応部３０Ａと、タブ端子５２とは対応しない非対応部３０Ｂとから構成され、上下方向に幅寸法が大きく確保されているので、弾性接触片３０のバネ剛性が高められ、高い接触圧を確保することができるようになっている。
また、切欠部３４は、弾性接触片３０におけるタブ端子５２との接触部３３よりも前方の領域内に設けられているので、弾性接触片３０は、その側壁２５によって支持されている後端（基端）から接触部３３に至るまで幅を広く確保されている。これにより、弾性接触片３０の高いバネ剛性が確保され、高い接触圧を得ることができる。
【００３７】
また、プローブ５５の一部が下部保護壁２７から上方（弾性接触片３０側）へ外れた場合、プローブ５５の当接位置が下部保護壁２７の上端（立ち上がり端）となるため、下部保護壁２７が変形し易くなることが懸念される。しかし、側部保護壁２８の前面が下部保護壁２７の前面とほぼ面一とされ、且つ側部保護壁２８の下縁が下部保護壁２７の上縁に対して接近又は当接されているので、プローブ５５のうち下部保護壁２７から外れた部分は側部保護壁２８に当接することになる。これにより、プローブ５５からの押圧力は下部保護壁２７だけでなく側部保護壁２８とで分担されて、下部保護壁２７に対する押圧力が軽減されるので、下部保護壁２７の変形が確実に防止される。
【００３８】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では弾性接触片が前方へ延出する形態としたが、本発明によれば、弾性接触片が後方又は端子間スペース側へ延出する形態とすることもできる。
【００３９】
（２）上記実施形態では弾性接触片が片持ち状に延出する形態としたが、本発明によれば、弾性接触片が側壁に両端支持された形態としてもよい。
（３）上記実施形態では枠状部における端子間スペース側の縁部のみを折り返し状に重ね合わせた形態としたが、本発明によれば、これ以外の箇所も折り返し状に重ね合わせた形態とすることができる。
（４）上記実施形態では弾性接触片の後方に角筒部を形成したが、本発明によれば、角筒部を形成しない構成とすることもできる。
【００４０】
（５）上記実施形態では底壁の前端縁から下部保護壁を立ち上げたが、本発明によれば、下部保護壁を形成しない構成としてもよい。
（６）上記実施形態では側壁の前端縁に側部保護壁を形成したが、本発明によれば、側部保護壁を形成しない構成としてもよい。
（７）上記実施形態では底壁から突起を立ち上げたが、本発明によれば、このように突起を形成しない構成としてもよい。
（８）上記実施形態では突起が過度撓み規制手段を兼ねるようにしたが、本発明によれば、突起とは別に過度撓み規制部を形成してもよい。
【図面の簡単な説明】
【図１】実施形態１においてハウジングに端子金具とヒューズを組み付けた状態の縦断面図
【図２】ハウジングに端子金具とヒューズを組み付けた状態の水平断面図
【図３】ハウジングに端子金具を収容した状態の縦断面図
【図４】ハウジングに端子金具を収容した状態の正面図
【図５】端子金具の側面図
【図６】端子金具の部分拡大縦断面図
【図７】端子金具の平面図
【図８】（ａ）端子金具の部分拡大水平断面図
（ｂ）ヒューズを接続した状態における端子金具の部分拡大水平断面図
【図９】端子金具の正面図
【図１０】端子金具の横断面図
【図１１】端子金具の展開図
【符号の説明】
１０…ハウジング
１２…端子間スペース
２０…端子金具
２４…底壁
２５…側壁
２６…天井壁
２７…下部保護壁
２８…側部保護壁
３０…弾性接触片
３１…開口部
３２…枠状部
３５…突起
４０…角筒部
５０…ヒューズ
５２…タブ端子
【図１】
2004206911.tif 000003
【図２】
2004206911.tif 000004
【図３】
2004206911.tif 000005
【図４】
2004206911.tif 000006
【図５】
2004206911.tif 000007
【図６】
2004206911.tif 000008
【図７】
2004206911.tif 000009
【図８】
2004206911.tif 000010
【図９】
2004206911.tif 000011
【図１０】
2004206911.tif 000012
【図１１】
2004206911.tif 000013